(57)【要約】処方された医薬品を投与する際に使用されるカスタマイズされたニュースレターと製品ラベルを組み合わせて印刷する装置および方法。投与する薬剤師に提供された情報に基づいて個人の医学的な状態が決定され、個人にカスタマイズされない標準の情報を含んでいてもよいカスタマイズされたニュースレター（２０１）が組み合わせフォーム上に印刷され、組み合わせフォームは投与された医薬品の容器に貼ることのできる自己接着ラベル（２０５）を含む。ニュースレター（２０４）と容器のラベル（２０５）の両方を含む組み合わせフォームは、ニュースレターを正しい個人に提供することを容易にする。【選択図】        図２
2004500202.tif 000002
【特許請求の範囲】
【請求項１】
医薬品の個人への提供に関連して医薬品のラベルと指定されたニュースレターを組み合わせて印刷する方法であって、前記方法は、
前記個人の状態を識別するために前記医薬品に関連する医薬品処方情報を分析するステップと、
前記状態に基づいて補足情報セットを決定するステップと、
前記医薬品ラベルと指定されたニュースレターの組み合わせに関する画像をフォーマットするステップであって、前記画像は医薬品ラベル情報フィールドと、前記補足情報セットを含む１つまたは複数のフィールドとを含み、前記医薬品ラベル情報フィールドは組み合わせフォームのラベル部分に印刷されるようにフォーマットされ、前記補足情報を含む１つまたは複数のフィールドは前記組み合わせフォームの情報部分に印刷されるようにフォーマットされる、前記フォーマットするステップと、
前記画像を前記組み合わせフォームの上に印刷するステップであって、前記組み合わせフォームは前記情報部分と前記ラベル部分とを含む、前記印刷するステップと
を含む前記方法。
【請求項２】
前記組み合わせフォームは片面のフォームである請求項１に記載の方法。
【請求項３】
前記組み合わせフォームはさらに顧客レシート部分を含み、前記画像はさらに顧客レシートデータを含み、前記顧客レシートデータは前記顧客レシート部分上に印刷される請求項１に記載の方法。
【請求項４】
前記ラベル部分は除去可能な部分と基本部分を含み、前記基本部分は前記除去可能な部分を除去すると読むことのできるあらかじめ印刷されたメッセージを含む請求項１に記載の方法。
【請求項５】
前記ラベル部分は除去可能な部分を含み、前記除去可能な部分は印刷可能な面と接着面とを含み、前記接着面は耐熱性接着剤を使用する請求項１に記載の方法。
【請求項６】
前記組み合わせフォームは第１の面と第２の面とを含む両面のフォームであり、前記第１の面は前記ラベル部分を含み、補足情報を含む１つまたは複数のフィールドのうち少なくともいくつかが前記第２の面に印刷された請求項１に記載の方法。
【請求項７】
前記第１の面は前記ラベル部分と第１の情報部分とを含む請求項６に記載の方法。
【発明の詳細な説明】
【０００１】
【関連出願へのクロスリファレンス】
本発明は、参照により全体として本明細書に組み込まれている、共有された米国特許出願番号第０８／７６４，１３９号と第０９／２２６，２０９号に関するものである。
【０００２】
【発明の属する技術分野】
本発明は処方された医薬品を受け取る個人に向けられる、処方された医薬品に関する印刷された医薬品処方ラベルとニュースレター（ｎｅｗｓｌｅｔｔｅｒｓ）に関し、より具体的には、処方された医薬品を受け取る個人に向けて、処方された医薬品処方ラベルとニュースレターを組み合わせて印刷することに関する。
【０００３】
【背景技術】
全般的な医学と薬学の進歩により、処方される医薬品の近接性と複雑性が増大した。個人が医療サービス提供者を訪問すると、彼または彼女は一般に、薬品または他の処方される製品の処方箋を受け取る。ついで個人は通常、処方された製品を受け取るために薬剤師の所へ行かなければならない。処方の情報は医療サービス提供者によって生成されるが、書面の処方箋の形態で個人が薬剤師の所へ持っていくか、医療サービス提供者が他の手段を介して処方の情報を直接薬剤師に連絡する場合もある。
【０００４】
薬剤師は医療サービス提供者が処方した薬品または他の製品の正しいタイプと量を準備することによって処方箋を満足させ、必要であれば、その製品を適切な容器に入れる。ついで薬剤師は容器のためのラベルを準備し、このラベルを製品またはその容器に添付する。ついで薬剤師は、処方された医薬品を受け取ることになっている個人に容器を渡す。
【０００５】
多くの処方された医薬品は、その医薬品の効果をもっとも高め、好ましくない副作用を抑えるために、その医薬品を使用する個人に対して、所定の指示に従うかまたは行動を限定するように求める。医薬品または容器に貼られたラベルは医薬品を使用する個人にとってもっとも重要な指示の簡単な説明を含む場合があるが、しかしほとんどの容器のラベルは大きくないので、処方された医薬品に関連する指示または有用な情報のより詳細なリストを含むことができない。
【０００６】
薬剤師は個人が医薬品を受け取るときにその個人に対して、その医薬品に関する追加情報と有用な情報を口頭で提供することができる。この慣行は、個人はこの情報を口頭で受け取る時間がない場合があるか、または口頭の情報を受け取る時間があってもすべての情報を覚えているわけではないという事実によって限定される。薬剤師はまた、個人が医薬品を受け取ったときまたはその後に、医薬品を受け取った個人が有する場合のある質問に答えることができるが、このプロセスでは医薬品または関連する健康関連のことに詳しくない場合のある顧客に、適切な質問を識別することが求められる。個人が医薬品を受け取った後に質問を有する場合、彼または彼女は質問をするために追加の努力を費やして薬剤師に連絡しなければならない。
【０００７】
健康管理における最近の発展は、最近の薬剤師に生産性を高めることを要求している。最近の薬剤師は、処方された医薬品を個人に渡すための時間を減らさなければならないという圧力の下に置かれている。この結果、薬剤師が処方された医薬品を提供する時間を減らしながら、顧客へのサービスレベルを維持し、処方された医薬品を受け取る個人に薬剤師が提供する情報の量または質を犠牲にしない技法が求められている。
【０００８】
処方された医薬品の引渡しにおける最近の発展は、処方された医薬品を受け取る個人に向けて、カスタマイズされたニュースレターを自動的に印刷することである。このようなカスタマイズされて指定されたニュースレターを生成する装置は、共有される米国特許出願第０８／７６４，１３９号、第０９／２２６，２０９号、第０８／７６４，１３９号、第０９／２２６，２０９号に記述されており、これらはすべて参照により本明細書に組み込まれている。これらの装置が生成するカスタマイズされ、指定されたニュースレターは、処方された医薬品のユーザに対する指示、副作用に関する有用な情報、このような医薬品が処方された状態を有する個人が関心を持つと思われる情報、および、このような状態を有する個人を助けることのできる製品に関する情報と購入インセンティブなどの情報をしばしば含む。これらのニュースレターは印刷されているので、個人は情報を保持することができ、彼または彼女が暇な時または情報を忘れてしまった後からでも情報を確認することができる。
【０００９】
処方された医薬品を受け取る個人にカスタマイズされ指定されたニュースレターを生成する関連技術の装置は、そのニュースレター情報だけを含む別の文書を使用していた。これらの装置は薬剤師に、正しい個人がカスタマイズされたニュースレターを受け取ったことを手動で確認することを求めた。ニュースレターを正しい個人に一致させることは、医薬品を個人に渡すために必要な時間を増加させ、カスタマイズされたニュースレターが間違った人に渡される可能性というエラーのリスクを招いた。ニュースレターに含まれる提案や忠告が、薬剤師から、ニュースレターが作成された対象の状態とは異なる医学的な状態を有する個人に渡されるという事実のため、間違った人に渡すというエラーは重大な結果を引き起こしうる。この可能性としてのリスクにより、カスタマイズされたニュースレターがどの個人に向けられたか疑いがある場合に、薬剤師はこのニュースレターを捨ててしまうだけということにつながる可能性がある。
【００１０】
【発明の開示】
本発明の目的は、薬剤師が、処方された医薬品を受け取る個人に対して、カスタマイズされ指定されたニュースレターをより効率的に作成できるようにすることである。
【００１１】
本発明の別の目的は、処方された医薬品の正しい容器にすぐに容易に関連付けられる、カスタマイズされ指定されたニュースレターを生成することである。
【００１２】
本発明の別の目的は、処方された医薬品に対するラベルと、これに関連するカスタマイズされたニュースレターを作成する複雑さと使用する材料のコストを低減して、これらのラベルとニュースレターとをより効率的に作成することである。
【００１３】
本発明は、多数の部分を有する単一のフォーム上に、カスタマイズされ指定されたニュースレターと関連する医薬品のラベルとを共に作成することによって、これらの目的およびさらなる目的を達成する。本発明は、個人が受け取る処方された医薬品を識別し、その個人に関連する入手可能なほかのデータを分析することによって、カスタマイズされ指定されたニュースレターに含める補足情報（ｓｕｐｐｌｅｍｅｎｔａｌ ｉｎｆｏｒｍａｔｉｏｎ）を選択することを含む。ついで、多数の部分を有するフォームに印刷される画像がコンピュータベースの装置内で生成され、この画像は、適切なプリンタによって使用される多数の部分を有するフォームの正しい部分に印刷される処方された医薬品のラベルと、ニュースレター情報とを含む。本発明は、より経済的なプリンタとラベル、および、より機能的な医薬品容器のラベルとを使用できるようにするデザイン技法と技術を使用する印刷機器とフォームを使用することができる。
【００１４】
【発明を実施するための最良の形態】
図面を参照しながら好ましい実施形態の説明を行うが、図面の中では同様な番号の付いた要素は同じまたは同様な機能を果たす。本発明の理解は、本発明が取って代わる関連技術を理解することによってさらに助けられる。図１は、個人に向けられるニュースレターを作成するために現在使用されている関連技術の装置の構成要素を示す。図１に示されている装置と同様な装置は、共有される米国特許出願第０８／７６４，１３９号、米国特許出願第０９／２２６，２０９号、米国特許出願第０８／７６４，１３９号、米国特許出願第０９／２２６，２０９号とにさらに説明されており、これらはすべて参照により引用され、本明細書に組み込まれている。
【００１５】
図１に示された関連技術の装置は、患者情報、医師情報、および処方される医薬品に関する処方情報を記憶するために薬剤師が使用する薬局コンピュータ１０１を備える。薬局コンピュータ１０１の機能のうち、データのフォーマットと生成は、処方される医薬品の容器に貼る個別のラベル１０６を印刷するために使用される。個別のラベル１０６は薬局コンピュータ１０１からデータリンク１１０上で二重トレイプリンタ１０２に通信される、印刷すべき情報を記述するデータを受信すると、ラベルプリンタ１０２によって印刷される。
【００１６】
二重トレイプリンタ１０２はレーザプリンタであって、情報が印刷される２つの独立したペーパーストックのトレイを備える（当業者であれば知られているが図の中には示されていない）。関連技術の装置の動作では、二重トレイプリンタ１０２のうち１つのペーパートレイに医薬品ラベル１０６を印刷するために使用されるペーパーストックをロードし、他のペーパートレイにはニュースレター１０５を印刷するために使用されるペーパーストックをロードする。図１に示されるように、関連技術装置の二重トレイプリンタ１０２はさらに、データポートＡ１１１とデータポートＢ１１２の２つのデータポートを備える。二重トレイプリンタ１０２は、データポートＢ１１２を介して受信したデータを医薬品ラベルストックを含むトレイにロードされたペーパーストックに印刷し、データポートＡ１１１を介して受信したデータをニュースレターストックを含むトレイにロードされたペーパーストックに印刷するように構成される。
【００１７】
図１に示された関連技術の装置はさらに、薬局コンピュータ１０１から発生した医薬品ラベル情報を監視し、患者のために印刷する正しいニュースレターを決定するための補助機器を備える。薬局コンピュータ１０１は医薬品ラベルを定義するデータを二重トレイプリンタ１０２のデータポートＢ１１２に送信し、医薬品ラベル印刷ストックを含むトレイに含まれる印刷ストック上に対応する画像が印刷される。予備プロセッサ１０３は薬局コンピュータ１０１から送信された医薬品ラベル情報を監視し、監視されたラベル情報を予備プロセッサ１０３内に維持されたデータベース内に記憶されたデータと比較し、処方された医薬品を受け取る患者に提供すべきニュースレターを定義するデータを生成する。予備プロセッサ１０３はニュースレターを定義するデータを、二重トレイプリンタ１０２のデータポートＡ１１１に送信し、ついでニュースレターはニュースレターペーパーストックトレイに含まれる印刷ストック上に印刷される。
【００１８】
予備プロセッサ１０３は、通信リンク１１０上で薬局コンピュータ１０１によってラベルプリンタ１０２に送信されたデータを監視するように構成される。ラベルプリンタ１０２に送信され、予備プロセッサ１０３も受信するデータは、個人に投与される処方された医薬品の説明と、個人の名前および年齢など個人を記述する他の情報を含む。処方された医薬品の説明は全米医薬品コード（ＮＤＣ）識別子の形態であってもよい。
【００１９】
予備プロセッサ１０３はラベルプリンタに送信された情報を分析して、処方された医薬製品を受け取る個人の状態を決定する。個人の状態は主に、その個人に投与される処方された医薬品によって決定される。個人の状態はまた、予備プロセッサが受信した個人の年齢や他の情報など、製品を受け取る個人を説明する他の情報に基づいて決定することもできる。薬局コンピュータがＮＤＣ識別子を送信した場合、予備プロセッサ１０３はＮＤＣ識別子を使用して、処方された医薬品を識別することもできる。予備プロセッサ１０３は決定された個人の情報に基づいて、補足情報セットを記憶し検索するように構成される。補足情報セットを決定し、それをカスタマイズされたニュースレターに印刷する装置は、共有されている米国特許出願第０８／７６４，１３９号と第０８／７６４，１３９号に開示されており、これらはすべて参照により本明細書に引用され組み込まれている。
【００２０】
予備プロセッサ１０３が決定する補足情報のセットは、処方された医薬品の使用法に関する指示、医薬品の使用に関連する合併症の症状、医薬品を治療用に使用した時の状態に関する合併症、医薬品を治療用に使用した時の状態に関するアドバイスと、その医薬品を使用する個人が関心を持つ可能性のある製品に関する広告などのデータを含んでいてもよいが、これらに限られるものではない。予備プロセッサ１０３がこの補足情報セットを決定すると、予備プロセッサはこの補足情報セットを提示するフォーマットを決定する。予備プロセッサ１０３はついでこのデータをラベルプリンタ１０２に通信し、補足情報セットを含むカスタマイズされ指定されたニュースレターを印刷させる。ついでニュースレタープリンタは、処方された医薬品を受け取る個人に提供すべきニュースレター１０４を作成する。
【００２１】
図２は、本発明の好ましい実施形態を示す。示された実施形態は、図１に示された関連技術の装置と同様に、既存の医薬用コンピュータ１０１を備える薬局に組み込まれるように設計される。示された実施形態は組み合わせプロセッサ２０３を使用して、薬局コンピュータ１０１が作成したすべてのデータを受信する。本発明の好ましい実施形態では、二重トレイプリンタ１０２は、ラベルとニュースレターを組み合わせたフォームを作成する組み合わせプリンタ２０２に置き換えられる。本発明の代替の実施形態では、組み合わせプロセッサ２０３によって実行される処理を行うことによって、別の組み合わせプロセッサ２０３の使用を回避するように設計された、薬局コンピュータ１０１を組み込んでもよい。
【００２２】
好ましい実施形態の組み合わせプロセッサ２０３は予備プロセッサ１０３と同様なプロセスを使用して、個人の決定された状態に基づいて補足情報セットを決定する。組み合わせプロセッサは個人の状態を主に、薬局コンピュータから受信した処方された医薬品ラベルのデータと、その個人に関して受信した他の情報に基づいて決定する。組み合わせプロセッサ２０３はさらに、薬局コンピュータ１０１から受信したラベル情報を保持して、組み合わせフォームに印刷すべき画像に組み入れる。組み合わせプロセッサ２０３は、選択された補足情報セットを含む１つまたは複数の補足情報フィールドと、処方された医薬品ラベルの情報を含む医薬品ラベル情報フィールドとを含む印刷画像を生成する。生成された印刷画像は、組み合わせプリンタ２０２に含まれる組み合わせフォーム２０１に正しく印刷されるようにフォーマットされる。組み合わせフォーム２０１上に印刷するように画像が生成されると、画像を定義するデータが組み合わせプリンタ２０２に通信され、組み合わせフォーム２０１上に印刷される。
【００２３】
好ましい実施形態が使用する組み合わせプリンタ２０２は、本発明が使用する組み合わせフォーム２０１を処理するようにプリンタの能力を高めるデザイン機能を組み込んだ、市販のレーザプリンタである。次に説明する組み合わせフォーム２０１は自己接着部分（ｓｅｌｆ ａｄｈｅｓｉｖｅ ｐｏｒｔｉｏｎ）を有し、その上に個人別の容器のラベルが印刷される。組み合わせフォーム２０１で使用される自己接着背面は、いくつかの短い半径のターンと高温のフュージングプロセスを有する従来のレーザプリンタでは、きつい半径ターンでフォームが分かれたり損傷したり、または自己接着背面が比較的高温のフューザ上で分かれたりする可能性があるので、従来のレーザプリンタでは正しく機能しない可能性がある。好ましい実施形態で使用される組み合わせプリンタはまた、フォームの両面に自動的に印刷することができる。
【００２４】
好ましい実施形態が使用する組み合わせプリンタ２０２は、小さい半径を伴う少ないペーパーフィードパスのターンを有するペーパーフィードパスを使用し、低いフュージング温度しか必要としないトナーを使用するデザインを組み込んでいる。本発明の好ましい実施形態は、Ｌｅｘｍａｒｋ Ｏｐｔｒａ Ｓ デュプレクサを伴う、Ｌｅｘｍａｒｋ Ｏｐｔｒａ Ｓ Ｍｏｄｅｌ １８５５を使用する。この設計を伴うプリンタを使用することによって、好ましい実施形態がうまく使用できる組み合わせフォーム２０１のタイプにより大きな融通性が与えられる。
【００２５】
組み合わせフォーム２０１は単一シートのフォームであって、ラベル部分と情報部分の、少なくとも２つの領域または部分を含む。図３は好ましい実施形態で使用される組み合わせフォーム２０１の前面の部分を示す。組み合わせフォーム２０１の前面部分は、情報部分２０４とラベル部分２０５とを含む。情報部分２０４は印刷可能な紙のシートであって、組み合わせプリンタ２０２はこの上に、顧客に関して決定された補足情報セットの全部または一部を印刷する。
【００２６】
ラベル部分２０５は自己接着ラベル３０１を含み、薬剤師はこのラベルを、処方箋を持った個人に与えるべき処方された医薬品の容器に接着することができる。自己接着ラベル３０１は、組み合わせプリンタ２０２が使用する印刷プロセスで使用される熱にさらされてもよく持ちこたえられる耐熱性接着剤を組み込んだ背面を使用する。組み合わせプリンタ２０２は処方された医薬品ラベルの情報を自己接着ラベル３０１に印刷する。自己接着ラベル上に印刷されたデータは、関連技術の装置が生成したラベル１０６に印刷された情報と等価である。ラベル３０１は、投与される医薬品に対して多数のラベルが生成できるように、多数のセクションに切断することができる。図３のラベル３０１は、単一の組み合わせフォームから２つの別のラベル３０１と３０１’を作ることのできる、カット３０３によって中間で切られたことが示されている。１つのラベル３０１は、投与された医薬品を含むビンの上に貼り、他のラベル３０１’はこのビンを入れる袋に貼ることができる。
【００２７】
図３に示された組み合わせフォーム２０１は、ラベル部分２０５と情報部分２０４の間にミシン目（ｐｅｒｆｏｒａｔｉｏｎ）３０２を有する。ラベル３０１と３０１’が取り除かれ、おそらく関連する処方された医薬品の容器の上に貼り付けた後に、ミシン目３０２によってラベル部分２０５を情報部分２０４から分離することができる。これによって、ラベル部分２０５の背面が付着していない、情報部分２０４のみからなるより魅力的なニュースレターを顧客に与えることができる。
【００２８】
本発明で使用できる代替の組み合わせフォーム２０１は、ラベル部分２０５と情報部分２０４の間のミシン目を含まなくてもよい。この組み合わせフォーム２０１はラベル３０１と３０１’が除去された後に読むことのできるラベル部分２０５の背面の上に、あらかじめ印刷された情報を含んでいてもよい。これによって、顧客に与えることのできるニュースレターに使用可能な情報領域が広がるが、ラベル３０１と３０１’の下のあらかじめ印刷された部分は処方される医薬品を受け取る人のためにカスタマイズされない。
【００２９】
組み合わせフォームの裏側は図の中には示されていないが、フォーム部分２０５の裏側を含む全シート上が印刷可能な領域からなる。処方された医薬品を受け取る人に渡す前にラベル部分２０５が情報部分２０４から分離しない場合、組み合わせプリンタ２０２はカスタマイズされた情報をラベル部分２０５の裏側に印刷することができる。これによって、処方される医薬品の受領者に対してカスタマイズされた情報を保持するために使用可能な領域が増大する。
【００３０】
本発明が使用できる他の組み合わせフォーム２０１’が図４に示されている。組み合わせフォーム２０１’は、投与された医薬品に関する購入レシート情報が印刷される追加の部分である、顧客レシート部分４０１を有する。顧客レシート部分４０１は接着背面を有せず、購入の詳細が印刷されるただの紙のシートである。顧客レシート部分４０１はミシン目４０２によって組み合わせフォームの情報部分２０４から分離される。顧客レシート部分４０１はまた、ミシン目３０２によってラベル部分２０５から分離される。ミシン目３０２と４０２は顧客レシート部分４０１をラベルとニュースレターから分離し、顧客に別々に提供できるようにする。顧客レシート部分４０１を含めると、別のレシートプリンタを有する必要性を回避し、レシートを別に保持してその後正しいレシートを正しい顧客に一致させる作業を容易にする。
【００３１】
図示された実施形態は、別々のユニットまたはマシンの間で処理を分割することを示す。これは本発明の用件ではなく、種々の要素を少ないマシンに組み合わせたり、種々のマシンに異なる方法で分散したり、実際には、単一のコンピュータを伴う単一のマシン内に含めることができる。当業者であれば、このような再分散を使用する実施形態も設計できるであろう。
【００３２】
上記の教示の下で、本発明の多くの修正例と変更例が可能であることは明らかであろう。したがって付随する請求項の範囲の中で、本発明は本明細書に具体的に説明された方法とは別の方法でも実施できることを理解されたい。
【図面の簡単な説明】
【図１】
処方された医薬品を受け取る個人に対してカスタマイズされたニュースレターを印刷する関連技術の装置の概略図を示す図である。
【図２】
医薬品の容器のラベルとカスタマイズされたニュースレターを多数の部分を有する単一のフォームの上に印刷する本発明の好ましい実施形態の概略図を示す図である。
【図３】
本発明が使用する多数の部分を有する組み合わせフォームの前面を示す図である。
【図４】
顧客レシート部分を含む、本発明が使用する多数の部分を有する代替の組み合わせフォームの前面を示す図である。
【図１】
2004500202.tif 000003
【図２】
2004500202.tif 000004
【図３】
2004500202.tif 000005
【図４】
2004500202.tif 000006
【国際公開パンフレット】
2004500202.tif 000007
2004500202.tif 000008
2004500202.tif 000009
2004500202.tif 000010
2004500202.tif 000011
2004500202.tif 000012
2004500202.tif 000013
2004500202.tif 000014
2004500202.tif 000015
2004500202.tif 000016
2004500202.tif 000017
2004500202.tif 000018
2004500202.tif 000019
2004500202.tif 000020
2004500202.tif 000021
2004500202.tif 000022
【手続補正書】
【提出日】平成13年3月9日(2001.3.9)
【手続補正１】
【補正対象書類名】明細書
【補正対象項目名】特許請求の範囲
【補正方法】変更
【補正の内容】
【特許請求の範囲】
【請求項１】
医薬品の個人への提供に関して医薬品ラベルと指定されたニュースレターを組み合わせて印刷する方法であって、前記方法は、
前記個人の状態を識別するために、前記医薬品に関連する医薬品処方情報を分析するステップと、
前記状態に基づいて補足情報セットを決定するステップと、
前記医薬品ラベルと指定されたニュースレターの組み合わせに関する画像をフォーマットするステップであって、前記画像は医薬品ラベル情報フィールドと、前記補足情報セットを含む１つまたは複数のフィールドとを含み、前記医薬品ラベル情報フィールドは組み合わせフォームの接着ラベル部分に印刷されるようにフォーマットされ、前記補足情報を含む１つまたは複数のフィールドは前記組み合わせフォームの非接着情報部分に印刷されるようにフォーマットされる、前記フォーマットするステップと、
前記画像を前記組み合わせフォーム上に印刷するステップであって、前記組み合わせフォームは前記情報部分と前記ラベル部分とを含む、前記印刷するステップと
を含む前記方法。
【請求項２】
前記組み合わせフォームは片面のフォームである請求項１に記載の方法。
【請求項３】
前記組み合わせフォームはさらに顧客レシート部分を含み、前記画像はさらに顧客レシートデータを含み、前記顧客レシートデータは前記顧客レシート部分上に印刷される請求項１に記載の方法。
【請求項４】
前記ラベル部分は除去可能な部分と基本部分を含み、前記基本部分は前記除去可能な部分を除去すると読むことのできるあらかじめ印刷されたメッセージを含む請求項１に記載の方法。
【請求項５】
前記ラベル部分は除去可能な部分を含み、前記除去可能な部分は印刷可能な面と接着面とを含み、前記接着面は耐熱性接着剤を使用する請求項１に記載の方法。
【請求項６】
前記組み合わせフォームは第１の面と第２の面とを含む両面のフォームであり、前記第１の面は前記ラベル部分を含み、補足情報を含む１つまたは複数のフィールドのうち少なくともいくつかが前記第２の面に印刷された請求項１に記載の方法。
【請求項７】
前記第１の面は前記ラベル部分と第１の情報部分とを含む請求項６に記載の方法。
【手続補正書】
【提出日】平成14年1月2日(2002.1.2)
【手続補正１】
【補正対象書類名】明細書
【補正対象項目名】特許請求の範囲
【補正方法】変更
【補正の内容】
【特許請求の範囲】
【請求項１】
医薬品の個人への提供に関して医薬品ラベルと指定されたニュースレターを組み合わせて印刷する方法であって、前記方法は、
前記個人の状態を識別するために、前記医薬品に関連する医薬品処方情報と前記個人に関する他の情報とを分析するステップと、
前記状態に基づいて補足情報セットを決定するステップと、
前記医薬品ラベルと指定されたニュースレターの組み合わせに関する画像をフォーマットするステップであって、前記画像は医薬品ラベル情報フィールドと、前記補足情報セットを含む１つまたは複数のフィールドとを含み、前記医薬品ラベル情報フィールドは組み合わせフォームの接着ラベル部分に印刷されるようにフォーマットされ、前記補足情報を含む１つまたは複数のフィールドは前記組み合わせフォームの非接着情報部分に印刷されるようにフォーマットされる、前記フォーマットするステップと、
前記画像を前記組み合わせフォーム上に印刷するステップであって、前記組み合わせフォームは前記情報部分と前記ラベル部分とを含む、前記印刷するステップと
を含む前記方法。
【請求項２】
前記組み合わせフォームは片面のフォームである請求項１に記載の方法。
【請求項３】
前記組み合わせフォームはさらに顧客レシート部分を含み、前記画像はさらに顧客レシートデータを含み、前記顧客レシートデータは前記顧客レシート部分上に印刷される請求項１に記載の方法。
【請求項４】
前記ラベル部分は除去可能な部分と基本部分を含み、前記基本部分は前記除去可能な部分を除去すると読むことのできるあらかじめ印刷されたメッセージを含む請求項１に記載の方法。
【請求項５】
前記ラベル部分は除去可能な部分を含み、前記除去可能な部分は印刷可能な面と接着面とを含み、前記接着面は耐熱性接着剤を使用する請求項１に記載の方法。
【請求項６】
前記組み合わせフォームは第１の面と第２の面とを含む両面のフォームであり、前記第１の面は前記ラベル部分を含み、補足情報を含む１つまたは複数のフィールドのうち少なくともいくつかが前記第２の面に印刷された請求項１に記載の方法。
【請求項７】
前記第１の面は前記ラベル部分と第１の情報部分とを含む請求項６に記載の方法。
【請求項８】
前記個人に関する他の情報は前記個人の年齢を含む請求項１に記載の方法。
【請求項９】
前記個人に関する他の情報は予備プロセッサが受信した情報を含む請求項１に記載の方法。
【請求項１０】
医薬品の個人への提供に関連して医薬品ラベルと指定されたニュースレターを組み合わせて印刷する装置であって、前記装置は、
前記個人の状態を識別するために、前記医薬品に関連する医薬品処方情報と、前記個人に関する他の情報とを分析する手段と、
前記状態に基づいて補足情報セットを決定する手段と、
前記医薬品ラベルと指定されたニュースレターの組み合わせに関する画像をフォーマットする手段であって、前記画像は医薬品ラベル情報フィールドと、前記補足情報セットを含む１つまたは複数のフィールドとを含み、前記医薬品ラベル情報フィールドは組み合わせフォームのラベル部分上に印刷されるようにフォーマットされ、前記補足情報を含む１つまたは複数のフィールドは前記組み合わせフォームの情報部分上に印刷されるようにフォーマットされる、前記フォーマットする手段と、
前記組み合わせフォームが前記情報部分と前記ラベル部分とを含むように、前記画像を前記組み合わせフォーム上に印刷するプリンタと
を備えた前記装置。
【国際調査報告】
2004500202.tif 000023
2004500202.tif 000024
2004500202.tif 000025